(57)【要約】【課題】大きな画像スクロール表示装置においても画像に歪みが生じ難くすること。【解決手段】フレーム１０の上辺の近辺に設けられた第一のローラ１１、下辺の近辺に設けられた第二のローラ１２、および、画像フィルム１５を有し、画像をスクロールさせるように構成された画像スクロール表示装置１であって、画像フィルム１５は、その上端縁が第一のローラ１１に係止され、その下端縁が第二のローラ１２に係止されており、その左端縁および右端縁は、フレームの左右にそれぞれ設けられたガイド部材１３，１４に沿って上下方向に移動可能であり、かつ、ガイド部材によりそれぞれ左方向または右方向に引っ張られるように係合しており、ガイド部材によって左右方向に引っ張られて画像が歪みなく見えるように構成される。【選択図】      図３
2004219713.tif 000002
【特許請求の範囲】
【請求項１】
方形枠状に形成されたフレーム、前記フレームの上辺の近辺に設けられた第一のローラ、下辺の近辺に設けられた第二のローラ、および、表示用の画像が描かれた画像フィルムを有し、前記第一のローラおよび前記第二のローラによって前記画像フィルムを互いに逆方向に巻き取るようにして前記画像をスクロールさせるように構成された画像スクロール表示装置であって、
前記画像フィルムは、
その上端縁が前記第一のローラに係止され、その下端縁が前記第二のローラに係止されており、その左端縁および右端縁は、前記フレームの左右にそれぞれ設けられたガイド部材に沿って上下方向に移動可能であり、かつ、前記ガイド部材によりそれぞれ左方向または右方向に引っ張られるように係合しており、
前記第一のローラおよび前記第二のローラの回転により上下方向に引っ張られ、前記ガイド部材によって左右方向に引っ張られ、これによって当該画像フィルムが張られて画像が歪みなく見えるように構成されてなる、
ことを特徴とする画像スクロール表示装置。
【請求項２】
前記第一のローラまたは第二のローラの少なくともいずれか一方に前記画像フィルムを温めるためのヒータが設けられてなる、
請求項１記載の画像スクロール表示装置。
【請求項３】
前記画像フィルムは、ポリウレタンおよび塩化ビニルを含んだ可撓性を有する材料によって形成されてなる、
請求項１または２記載の画像スクロール表示装置。
【発明の詳細な説明】
【０００１】
【発明の属する技術分野】
本発明は、広告塔、広告看板、案内板、装飾写真板、または表示板なとして用いられる画像スクロール表示装置に関する。
【０００２】
【従来の技術】
従来より、フィルムに背面から光を照射し、フィルムに描かれた画像を透過光によって表示する表示装置が普及しており、例えば、駅やショッピングセンターの通路、またはビルの壁面などに数多く設置されている。
【０００３】
そのような表示装置において、広告の効果を高めるために、ローラによってフィルムの両端部を互いに逆方向に巻き取って画像をスクロールさせるように構成された画像スクロール表示装置がしばしば用いられる。
【０００４】
【発明が解決しようとする課題】
そのような画像スクロール表示装置では、大きさが縦横それぞれ数メートルもあったりし、中には１０メートル程度の大きなものも用いられている。そのように大きな画像スクロール表示装置では、フィルムが撓みやすく、皺がよったり凸凹が生じたりして綺麗な平面となり難く、そのためフィルムに描かれた画像に歪みが生じ易いという問題がある。
【０００５】
本発明は、上述の問題に鑑みてなされたもので、大きな画像スクロール表示装置においても画像に歪みが生じ難くすることを目的とする。
【０００６】
【課題を解決するための手段】
本発明に係る装置は、方形枠状に形成されたフレーム、前記フレームの上辺の近辺に設けられた第一のローラ、下辺の近辺に設けられた第二のローラ、および、表示用の画像が描かれた画像フィルムを有し、前記第一のローラおよび前記第二のローラによって前記画像フィルムを互いに逆方向に巻き取るようにして前記画像をスクロールさせるように構成された画像スクロール表示装置であって、前記画像フィルムは、その上端縁が前記第一のローラに係止され、その下端縁が前記第二のローラに係止されており、その左端縁および右端縁は、前記フレームの左右にそれぞれ設けられたガイド部材に沿って上下方向に移動可能であり、かつ、前記ガイド部材によりそれぞれ左方向または右方向に引っ張られるように係合しており、前記第一のローラおよび前記第二のローラの回転により上下方向に引っ張られ、前記ガイド部材によって左右方向に引っ張られ、これによって当該画像フィルムが張られて画像が歪みなく見えるように構成されてなる。
【０００７】
好ましくは、前記第一のローラまたは第二のローラの少なくともいずれか一方に前記画像フィルムを温めるためのヒータが設けられてる。
また、前記画像フィルムは、ポリウレタンおよび塩化ビニルを含んだ可撓性を有する材料によって形成されてなる。
【０００８】
【発明の実施の形態】
図１は本発明に係る実施形態の画像スクロール表示装置１の正面図、図２は画像スクロール表示装置１のフィルムを取り除いた状態の正面図、図３は図２の画像スクロール表示装置１の左端の部分を拡大して示す正面図、図４は画像スクロール表示装置１の左側面図、図５は第一のローラ１１に取り付けられた係止装置を引き出した状態を示す正面図、図６は第一のローラ１１の断面図、図７はフィルム１５の全体の状態を示す図、図８はフィルム１５の端部を拡大して示す図、図９はフィルム１５の上端部を係止装置に装着した状態を示す断面図、図１０はフィルム１５の左端部がガイド部材１３に挿入された状態を示す下面断面図である。
【０００９】
図１〜図４において、画像スクロール表示装置１は、本体フレーム１０、第一のローラ１１、第二のローラ１２、ガイド部材１３，１４、フィルム１５、光源１６、および制御装置１７などから構成される。
【００１０】
本体フレーム１０は、軽量型鋼からなる横枠材３１ａ，３１ｂおよび縦枠材３１ｃ，３１ｄなどによって方形の筐状に構成されている。前面（図１における正面）には、横枠材３１ａ，３１ｂおよび縦枠材３１ｃ，３１ｄに沿って化粧枠板３２が取り付けられる。前面以外の各面には、カバーとして薄板材が取り付けられる。
【００１１】
第一のローラ１１は、上辺を構成する横枠材３１ａの近辺において、横枠材３１ａと平行に設けられている。第一のローラ１１は、右端に設けられた第１の駆動装置３３ａによって回転駆動される。駆動装置３３ａは、電動式のモータ、ギヤなどを有し、適当なタイミングで正逆のいずれか適当な方向に回転するように制御装置１７によって制御される。
【００１２】
図５および図６をも参照して、第一のローラ１１は、金属材料からなり、円筒状に形成されいる。その両端部にはテーパ面１１ａ，１１ｂが設けられている。第一のローラ１１の軸方向の４箇所には、第一のローラ１１の表面が円環状に削除されてなるスリット３４ａ〜３４ｄが設けられている。つまり、各スリット３４ａ〜３４ｄの部分には、第一のローラ１１の外周面の直径よりも小さい直径を有する小外周面３５ａ〜３５ｄが形成されている。また、第一のローラ１１の表面には、後述する係止装置３８を装着するための軸方向の装着溝１１ｃが設けられている。
【００１３】
図５によく示されるように、各小外周面３５ａ〜３５ｄには、厚さが薄く幅がスリット３４ａ〜３４ｄの幅よりも若干狭い金属製の帯板３６ａ〜３６ｄが連結されており、その先端には、同様な金属製であってスリット３４ａ〜３４ｄの幅よりも広い幅を有した帯板３７ａ〜３７ｄが連結されている。帯板３７ａ〜３７ｄの先端には、係止装置３８が連結されている。
【００１４】
これら、帯板３６ａ〜３６ｄおよび帯板３７ａ〜３７ｄは、画像スクロール表示装置１の使用時には小外周面３５ａ〜３５ｄまたは第一のローラ１１の外周面に巻きついている（図６参照）。また、係止装置３８は、第一のローラ１１の表面に設けられた装着溝１１ｃに嵌まり込み、ネジで固定されている。
【００１５】
しかし、フィルム１５を第一のローラ１１に着脱する際には、ネジを緩めて係止装置３８を第一のローラ１１から取り出した後、第一のローラ１１を回転させることにより帯板３７ａ〜３７ｄおよび帯板３６ａ〜３６ｄをこの順に巻き戻す。これにより、係止装置３８は、図５に示すように、帯板３６ａ〜３６ｄによって第一のローラ１１から吊り下げられた状態となるか、または地上に降りてきて床面上などに載置されることとなる。このように係止装置３８の位置を下げることにより、フィルム１５の端縁を取り付けて第一のローラ１１に巻き取る作業が容易となる。詳細は後述する。
【００１６】
図５、図６、および図９を主に参照して、係止装置３８は、レール本体４１およびカバー部材４２を有する。
レール本体４１は、金属材料からなり、断面が略矩形の角筒状であり、前面の中央に長手方向の全長にわたって延びるスリット４４を有する。スリット４４の内部には、合成樹脂からなって可撓性を有するもどり部材４５が、スリット４４に沿って設けられている。もどり部材４５は、そこに後述する係止縁板５２ａの膨出部５３が挿入されると、特別な冶具を用いなければ外れないように係合するものである。レール本体４１の長手方向の両端には、取り付けのためのブラケット４６が設けられている。
【００１７】
カバー部材４２は、合成樹脂からなって可撓性があり、第一のローラ１１の外周面に沿った薄い帯板状に形成されている。カバー部材４２は、レール本体４１の両側面に沿って配置され、その表面がレール本体４１の前面と連続するような位置に取り付けられて、レール本体４１と一体化されている。
【００１８】
なお、第一のローラ１１には、巻き取ったフィルム１５を温めるためのヒータ４７が内蔵されている。すなわち、画像スクロール表示装置１を冬季にまたは寒冷地で使用する場合などにおいて、第一のローラ１１に巻き取ったフィルム１５が低温のために硬化し、巻き戻すときに平面状に戻らないことがある。ヒータ４７によって第一のローラ１１を適当な温度に温めておくことによって、フィルム１５の硬化が防止され、巻きぐせがついたりすることがなく、画像の歪みの発生が防止される。
【００１９】
第二のローラ１２は、基本的には上に述べた第一のローラ１１と同じ構造であるが、第二のローラ１２は低い位置にあるので、フィルム１５の端縁を取り付けに当たってその係止装置を外したり下へ下ろしたりする必要がない。そのため、第二のローラ１２においては、係止装置８は第二のローラ１２に設けられた装着溝に嵌め込まれて固定されており、第一のローラ１１の場合のようなスリットや帯板は設けられていない。
【００２０】
図６、図７、および図８を参照して、フィルム１５は、矩形状であり、横寸法は第一のローラ１１の長さとほぼ同じであり、縦寸法はその表面に描かれる画像の内容または枚数に応じて決められる。
【００２１】
フィルム１５は、画像が描かれたフィルム本体５１、および、フィルム本体５１の周囲の４つの縁部に溶着（ウエルダ）により取り付けられた係止縁板５２ａ〜５２ｄからなる。
【００２２】
フィルム本体５１は、ポリウレタンを主材料とし、硬質の塩化ビニルの粉末を加えた混合物質からなるシート状のものである。透光性を有し、表面に描かれた画像が裏面からの照明光によって鮮明に表示される。強度が大きく、弾力性および可撓性があり、引っ張ることによって若干延びる。耐久性、耐摩耗性に優れる。また、塩化ビニルを含むので、他の部材と溶着による接合が可能である。
【００２３】
因みに、塩化ビニルのみを材料としてフィルム本体５１を形成した場合には、強度が大きくなく、寸法を余り大きくはできない。ポリウレタンのみを材料とした場合には、溶着による接合が困難である。
【００２４】
係止縁板５２ａ〜５２ｄは、合成樹脂によって帯板状に形成されており、第一のローラ１１または第二のローラ１２のテーパ面に巻き付け可能な程度の可撓性を有する。係止縁板５２ａ〜５２ｄは、それぞれの端縁に、全長にわたって膨出部５３を有する。係止縁板５２ａ〜５２ｄの４隅部分は４５度の角度方向に切断されている。図８に示されるように、フィルム本体５１の４隅部には、引っ張ったり吊ったりするために便利なハトメ５４が設けられている。
【００２５】
なお、フィルム本体５１の上下端縁に取り付けられる係止縁板５２ａ，５２ｂと、フィルム本体５１の左右端縁に取り付けられる係止縁板５２ｃ，５２ｄとで、色が互いに異なっている。例えば、一方が青色で、他方が赤色である。これによって第一のローラ１１への取り付け時に間違った端縁が取り付けられることが防止される。なお、上方の係止縁板５２ａのみを他の３つの係止縁板５２ｂ〜５２ｄと異なる色にしてもよい。
【００２６】
図２に戻って、ガイド部材１３，１４は、画像スクロール表示装置１の縦枠材３１ｃ，３１ｄの内側の近辺に設けられる。
図１０によく示されるように、ガイド部材１３は、断面が略矩形の角筒状で一方の面が開いた形状のレール材７１、および、レール材７１の開いた部分にネジなどにより取り付けられてスリット７３を形成する２枚のガイド板７２，７２からなる。
【００２７】
レール材７１として、例えばＣ型の軽量型鋼が用いられる。ガイド板７２は、摺動性の良好な合成樹脂材料または銅合金などからなる。スリット７３の幅は、フィルム本体５１の係止縁板５２ｃ，５２ｄの帯板状の部分が自由に通過可能であり、膨出部５３が通過不能な程度に形成される。
【００２８】
これらガイド部材１３，１４は、縦枠材３１ｃ，３１ｄまたはその近辺の構造部材などからバネ７４によって引っ張られるような状態で取り付けられる。
光源１６として、蛍光灯、その他の照明装置が用いられる。
【００２９】
制御装置１７は、上に述べた駆動装置３３ａ，３３ｂを制御し、第一のローラ１１および第二のローラ１２の回転方向、回転速度、回転数または回転角度位置を制御する。これによって、フィルム１５の巻き取り巻き戻しを行い、フィルム１５に描かれた画像を設定した順序で表示する。そのために必要なデータは、制御装置１７に設けられた入力装置を用いてオペレータが入力することができる。また、手動で調整することも可能である。制御装置１７は、第一のローラ１１および第二のローラ１２に装着されたヒータ４７を制御し、それらを予め設定された温度に維持する。種々の温度に設定を行うことも可能である。また、図示は省略したが、フィルム１５の位置を検出するためのセンサ、そのセンサを作動させるための検出体、温度を検出するためのセンサなどが適当な箇所に設けられており、センサから得られる信号が制御装置１７に入力されている。
【００３０】
次に、画像スクロール表示装置１の使用方法について説明する。
まず、フィルム１５の着脱方法を説明する。
フィルム１５を画像スクロール表示装置１に装着するには、上に述べたように第一のローラ１１を回転させて帯板３７ａ〜３７ｄおよび帯板３６ａ〜３６ｄをこの順に巻き戻し、係止装置３８を地上に降ろす。その状態で、フィルム１５の上方に位置すべき係止縁板５２ａを、係止装置３８のスリット４４に挿入し、かつ、もどり部材４５を通過させる。そのためには、図示しない適当な冶具を用いればよい。そのような冶具は公知であり、例えば、ファスナーの開閉するための移動体のようなものと考えればよい。
【００３１】
係止縁板５２ａをもどり部材４５に挿入すると、第一のローラ１１を回転させて帯板３６ａ〜３６ｄを巻き取るのであるが、その際に、フィルム１５の左右の係止縁板５２ｃ，５２ｄの上端を、ガイド部材１３，１４の下端から差し込んでおく。なお、そのときに、ガイド部材１３，１４をバネ７４に抗して引っ張るようにする。この状態で、第一のローラ１１によって帯板３６ａ〜３６ｄを巻き取ると、それにつれてフィルム１５が上方へ移動するので、それとともに係止縁板５２ｃ，５２ｄがガイド部材１３，１４の中に挿入されていくようにする。
【００３２】
第一のローラ１１による帯板３６ａ〜３６ｄ、３７ａ〜３７ｄの巻き取りが終わると、係止装置３８を第一のローラ１１の装着溝１１ｃに嵌め込み、ネジで固定する。これによって、フィルム１５の上端縁が第一のローラ１１に係止されたこととなる。さらに第一のローラ１１を回転させ、フィルム１５を適当な位置まで巻き取る。そのときに、左右の係止縁板５２ｃ，５２ｄは、第一のローラ１１の両端部に設けられたテーパ面１１ａ，１１ｂの位置で巻き取られるので、その部分が嵩張って大きくならず、円滑に巻き取ることができる。
【００３３】
そして、フィルム１５の下端縁が第二のローラ１２の近辺にきたときに、第一のローラ１１の場合と同様にして第二のローラ１２の係止装置にフィルム１５の係止縁板５２ｂを挿入する。これによってフィルム１５の下端縁が第二のローラ１２に係止されたことになる。第一のローラ１１または第二のローラ１２を適当な位置まで回転させ、適当な画像を表示した状態でフィルム１５がピンと張るようにする。
【００３４】
これによって、フィルム１５の左端縁および右端縁がガイド部材１３，１４に沿って上下方向に移動可能であり、かつ、ガイド部材１３，１４によりそれぞれ左方向または右方向に引っ張られるように係合した状態となる。
【００３５】
結局、フィルム１５は、第一のローラ１１および第二のローラ１２の回転によって上下方向に引っ張られ、ガイド部材１３，１４によって左右方向に引っ張られる。これによって、フィルム１５が張られ、画像が歪みなく見えることとなる。
【００３６】
フィルム１５を交換する際には、フィルム１５を装着する場合と逆の手順で第一のローラ１１および第二のローラ１２から外せばよい。
上に述べた実施形態において、ガイド部材１３，１４を本体フレーム１０の適当な部材によって移動可能に支持してもよい。画像スクロール表示装置１をユニット化し、ビルなどの壁面に設けられた凹部またはフレームなどにユニット化された画像スクロール表示装置を取り付けるようにしてもよい。フィルム１５に描く画像は、連続的な画像でもよく、区画された互いに異なる画像でもよい。それらの画像の内容に応じて、制御装置１７によって第一のローラ１１および第二のローラ１２が駆動されるようにすればよい。
【００３７】
フィルム１５を係止装置３８またはガイド部材１３，１４に装着する際に、容易に滑らかに装着が行えるよう、それらが接触する部分に潤滑剤を塗布してもよい。フィルム本体５１の端縁部を２重構造とし、その間に係止縁板５２が挿入された状態で溶着するようにしてもよい。また、係止縁板５２の表面の適当な位置に長手方向の凸条を設け、フィルム本体５１の端縁部の位置決めを容易にしてもよい。ヒータ４７の種類、個数、および装着位置などは、種々変更することができる。
【００３８】
その他、画像スクロール表示装置１の全体および各部の構成、構造、寸法、材質、個数、などは、本発明の趣旨に沿って適宜変更することができる。
【００３９】
【発明の効果】
本発明によると、大きな画像スクロール表示装置においても画像に歪みが生じ難くなり、鮮明な画像を表示することができる。
【００４０】
請求項２の発明によると、低温による画像フィルムの硬化が防止され、巻きぐせがついたりすることがない。
【図面の簡単な説明】
【図１】本発明に係る実施形態の画像スクロール表示装置の正面図である。
【図２】画像スクロール表示装置のフィルムを取り除いた状態の正面図である。
【図３】図２の画像スクロール表示装置の左端の部分を拡大して示す正面図である。
【図４】画像スクロール表示装置の左側面図である。
【図５】第一のローラに取り付けられた係止装置を引き出した状態を示す正面図である。
【図６】第一のローラの断面図である。
【図７】フィルムの全体の状態を示す図である。
【図８】フィルムの端部を拡大して示す図である。
【図９】フィルムの上端部を係止装置に装着した状態を示す断面図である。
【図１０】フィルムの左端部がガイド部材に挿入された状態を示す下面断面図である。
【符号の説明】
１  画像スクロール表示装置
１０  本体フレーム（フレーム）
１１  第一のローラ
１２  第二のローラ
１３，１４  ガイド部材
１５  フィルム（画像フィルム）
１６  光源
１７  制御装置
３８  係止装置
４７  ヒータ
【図１】
2004219713.tif 000003
【図２】
2004219713.tif 000004
【図３】
2004219713.tif 000005
【図４】
2004219713.tif 000006
【図５】
2004219713.tif 000007
【図６】
2004219713.tif 000008
【図７】
2004219713.tif 000009
【図８】
2004219713.tif 000010
【図９】
2004219713.tif 000011
【図１０】
2004219713.tif 000012